(57)【要約】【課題】複数の負荷に電源を供給する電源供給回路に関し、簡単な構成で、複数の負荷に別々に電源を供給できる電源供給回路を提供することを目的とする。【解決手段】本発明は、電源電圧（Ｖｃｃ）により駆動される第１の負荷（１０３）と、電源電圧（Ｖｃｃ）に応じて駆動され、パワーセーブ信号に応じて電流を発生する電流発生回路（１０１、１０２）と、電流発生回路（１０１、１０２）で発生された電流に応じて駆動される第２の負荷（１０４）とを有することを特徴とする。【選択図】  図２
2004272780.tif 000002
【特許請求の範囲】
【請求項１】
電源電圧により駆動される第１の負荷と、
電源電圧に応じて駆動され、パワーセーブ信号に応じて電流を発生する電流発生回路と、
前記電流発生回路で発生された電流に応じて駆動される第２の負荷とを有することを特徴とする電子回路。
【請求項２】
前記電流発生回路は、前記電源電圧に応じて定電流を発生する定電流回路と、
前記パワーセーブ信号に応じて前記定電流回路の動作を起動又は停止するパワーセーブ回路とを有することを特徴とする請求項１記載の電子回路。
【請求項３】
前記定電流回路は、前記パワーセーブ回路からの信号に応じて起動し、電流を出力する第１のカレントミラー回路と、
前記第１のカレントミラー回路の出力電流に応じて起動し、前記第１のカレントミラー回路の出力電流に応じた電流を前記第２の負荷に供給する第２のカレントミラー回路とを有することを特徴とする請求項２記載の電子回路。
【請求項４】
前記パワーセーブ回路は、前記第２のカレントミラー回路の起動を制御する信号を前記第２のカレントミラー回路に供給することを特徴とする請求項３記載の電子回路。
【請求項５】
前記定電流回路は、前記第１のカレントミラー回路の出力電流により動作し、前記第１のカレントミラー回路に動作電流を供給する第３のカレントミラー回路と、
前記第２のカレントミラー回路の出力電流により動作し、前記第２のカレントミラー回路に動作電流を供給する第４のカレントミラー回路とを有することを特徴とする請求項３又は４記載の電子回路。
【請求項６】
電源電圧に応じて駆動され、パワーセーブ信号に応じて電流を発生する電流発生回路を有し、
前記電源電圧により第１の負荷を駆動し、前記電流発生回路で発生された電流に応じて駆動される第２の負荷を駆動することを特徴とする電源供給方法。
【請求項７】
前記電流発生回路は、前記電源電圧に応じて定電流を発生しており、
前記パワーセーブ信号に応じて前記定電流回路の動作を起動又は停止することを特徴とする請求項６記載の電源供給方法。
【発明の詳細な説明】
【０００１】
【発明の属する技術分野】
本発明は電子回路及び電源供給方法に係り、特に、複数の負荷に電源を供給する電子回路及び電源供給方法に関する。
【０００２】
【従来の技術】
現在、電子回路には省電力化が求められている。このため、複数の負荷を駆動する電子回路においては、複数の負荷に供給する電流を必要に応じて順次にオフすることによって、省電力化を図っている。
【０００３】
例えば、ＣＤ−ＲＯＭドライブには、スピンドルモータ、ローディングモータ、スレッドモータなどの複数のモータが内蔵されており、ＣＤ−ＲＯＭドライブでは内蔵されたモータの全てを常時動作させておく必要はない。このため、マイコンなどにより待機時間を検出し、待機時間に応じて、立ち上がり時間が大幅に遅延しないように、順次に動作を停止させることにより、パワーセーブを行なうようにしている。このとき、従来はマイコンからの指示によりモータの動作を制御していた。
【０００４】
図４は従来の一例の回路構成図を示す。
【０００５】
従来の複数の負荷を駆動する電子回路２００は、少なくとも第１の負荷２０１、第２の負荷２０２及び電流供給回路２０３を含む構成とされていた。
【０００６】
第１の負荷２０１は、電源電圧Ｖｃｃにより駆動される。また、第２の負荷２０２は、電流供給回路２０３から供給される電流により駆動される。
【０００７】
電流供給回路２０３は、トランジスタＱ１〜Ｑ１１、抵抗Ｒ１、Ｒ２を含む構成とされており、電源２０４からの電源電圧Ｖｃｃによって駆動される。
【０００８】
トランジスタＱ１〜Ｑ３はＰＮＰトランジスタから構成され、カレントミラー回路を構成している。トランジスタＱ４〜Ｑ５はＰＮＰトランジスタから構成され、カレントミラー回路を構成している。トランジスタＱ８、Ｑ９はＮＰＮトランジスタから構成されており、カレントミラー回路を構成している。トランジスタＱ９、Ｑ１０はＮＰＮトランジスタから構成され、カレントミラー回路を構成している。
【０００９】
トランジスタＱ７は、ＮＰＮトランジスタから構成されており、抵抗Ｒ２とともに起動回路を構成している。
【００１０】
電源電圧Ｖｃｃが印加されると、まず、トランジスタＱ１、Ｑ４及びトランジスタＱ７がオンする。トランジスタＱ１、Ｑ４、Ｑ７がオンすることによって、トランジスタＱ５、Ｑ６のベース電位が低下し、トランジスタＱ５、Ｑ６がオンする。このとき、トランジスタＱ１、Ｑ２、Ｑ３のベース電位も低下し、オンする。以上により、トランジスタＱ１、Ｑ２、Ｑ３及びトランジスタＱ４、Ｑ５、Ｑ６がオンする。
【００１１】
次に、トランジスタＱ４、Ｑ５がオンすることによりトランジスタＱ８、Ｑ９からなるカレントミラー回路が起動する。さらに、トランジスタＱ８、Ｑ９からなるカレントミラー回路が起動することにより、トランジスタＱ１０、Ｑ１１からなるカレントミラー回路が起動する。以上の動作により、電流供給回路２０３が起動して、トランジスタＱ６のコレクタから定電流が出力される。このトランジスタＱ６のコレクタ電流が第２の負荷２０２に駆動電流として供給される。
【００１２】
上記構成の電流供給回路２０３は、熱特性にすぐれており、熱によらず安定して第２の負荷２０２に駆動電流を供給できる。
【００１３】
このとき、スイッチＳＷがオフされ、電源電圧Ｖｃｃが切断されると、第１の負荷２０１への電流の供給が停止されるとともに、電流供給回路２０３の動作が停止し、第２の負荷２０２への電流の供給が停止される。
【００１４】
【発明が解決しようとする課題】
しかるに、従来のこの種の電子回路では、電源電圧の投入時には、第１の負荷２０１及び第２の負荷２０２の両方が動作状態とされ、パワーセーブ動作を行なうことができず、省電力化を図ることができなかった。
【００１５】
本発明は上記の点に鑑みてなされたもので、複数の負荷への電源の供給を別々に制御でき、省電力化を図れるようにした電子回路及び電源供給方法を提供することを目的とする。
【００１６】
【課題を解決するための手段】
本発明は、電源電圧（Ｖｃｃ）により駆動される第１の負荷（１０３）と、電源電圧（Ｖｃｃ）に応じて駆動され、パワーセーブ信号に応じて電流を発生する電流発生回路（１０１、１０２）と、電流発生回路（１０１、１０２）で発生された電流に応じて駆動される第２の負荷（１０４）とを有することを特徴とする。
【００１７】
本発明によれば、電源電圧（Ｖｃｃ）により第１の負荷（１０３）を駆動し、パワーセーブ信号に応じて電流を発生する電流発生回路（１０１、１０２）で発生された電流に応じて駆動される第２の負荷（１０４）を駆動することにより、パワーセーブ信号に応じて第２の負荷（１０４）への電流の供給を停止できる。
【００１８】
なお、参照符号はあくまでも参考であり、これによって特許請求の範囲が限定されるものではない。
【００１９】
【発明の実施の形態】
図１は本発明の一実施例のシステム構成図を示す。
【００２０】
本実施例では電源供給回路を含む回路として、モータドライブ回路を例に説明を行なう。
【００２１】
本実施例のシステム１は、マイコン１１、モータドライブ回路１２、第１のモータ１３、第２のモータ１４を含む構成とされている。
【００２２】
マイコン１１には、システムの状態に応じた状態検出信号が供給される。マイコン１１は、状態検出信号に応じてモータドライブ回路１２の動作を通常動作及び第１のパワーセーブ動作並びに第２のパワーセーブ動作に切替えるための第１及び第２のパワーセーブ信号を出力する。第１のパワーセーブ信号は、モータドライブ回路１２のパワーセーブ端子Ｔｐｓに供給される。また、第２のパワーセーブ信号は、スイッチＳＷ１に供給される。スイッチＳＷ１は、電源１５とモータドライブ回路１２の電源端子Ｔｖｃｃとの間に設けられており、マイコン１１から供給される第２のパワーセーブ信号がハイレベルのときにオンし、電源１５から駆動電源をモータドライブ回路１２に供給し、マイコン１１から供給される第２のパワーセーブ信号がローレベルのときのオフし、電源１５からモータドライブ回路１２に供給される駆動電源を切断する。
【００２３】
次にモータドライブ回路１２について説明する。
【００２４】
図２はモータドライブ回路１２の回路構成図を示す。
【００２５】
モータドライブ回路１２は、パワーセーブ回路１０１と電流供給回路１０２、第１のモータ駆動回路１０３、第２のモータ駆動回路１０４を含む構成とされている。
【００２６】
パワーセーブ回路１０１は、抵抗Ｒ１１〜Ｒ１６、トランジスタＱ１０１〜Ｑ１０７から構成されており、パワーセーブ端子Ｔｐｓから供給されるパワーセーブ信号に応じて電流供給回路１０２を制御する。パワーセーブ端子Ｔｐｓは、抵抗Ｒ１１と抵抗Ｒ１２との直列回路に接続されている。パワーセーブ端子Ｔｐｓに供給されるパワーセーブ信号レベルは抵抗Ｒ１１と抵抗Ｒ１２により分圧され、抵抗Ｒ１３を介してトランジスタ１０１のベースに印加される。トランジスタＱ１０１はＮＰＮトランジスタから構成されており、パワーセーブ信号がハイレベルのときにはオンし、コレクタから電流を引き込み、ローレベルのときにはオフし、コレクタ電流を停止する。
【００２７】
トランジスタＱ１０１のコレクタは、抵抗Ｒ１４を通してトランジスタＱ１０２のコレクタ及びベース並びにトランジスタＱ１０３のベースに接続されている。トランジスタＱ１０２、Ｑ１０３は、ＰＮＰトランジスタからなり、カレントミー回路を構成している。なお、抵抗Ｒ１４は、トランジスタＱ１０２、Ｑ１０３から構成されるカレントミラー回路からの電流の引込を制限する抵抗である。
【００２８】
トランジスタＱ１０２、Ｑ１０３から構成されるカレントミラー回路は、トランジスタＱ１０１のコレクタ電流に応じた電流をトランジスタＱ１０３のコレクタから出力する。トランジスタＱ１０３のコレクタ電流は、トランジスタＱ１０４のエミッタ及び抵抗Ｒ１５を介してトランジスタＱ１０５のエミッタに供給される。
【００２９】
トランジスタＱ１０４、Ｑ１０５及び抵抗Ｒ１５は定電流回路を構成している。トランジスタＱ１０４、Ｑ１０５及び抵抗Ｒ１５から構成される定電流回路で生成された電流Ｉｃ１は、電流供給回路１０２に供給される。
【００３０】
また、トランジスタＱ１０１のコレクタには、トランジスタＱ１０６のベースが接続されている。トランジスタＱ１０６は、ＮＰＮトランジスタから構成され、トランジスタＱ１０１がオフのときにオンしてコレクタから電流を引き込み、トランジスタＱ１０１がオンのときオフしてコレクタからの電流の引き込みを停止する。
【００３１】
トランジスタＱ１０６のコレクタは、抵抗Ｒ１６を介してトランジスタＱ１０７のベースに接続されている。トランジスタＱ１０７は、ＰＮＰトランジスタから構成されており、トランジスタＱ１０６のコレクタ電位に応じてオン、オフする。トランジスタＱ１０７はトランジスタＱ１０６がオンするとオンし、コレクタから電流Ｉｃ２を出力し、トランジスタＱ１０６がオフするとオフし、コレクタからの電流Ｉｃ２の出力を停止する。トランジスタＱ１０７のコレクタ電流Ｉｃ２は電流供給回路１０２に供給される。
【００３２】
電流供給回路１０２は、トランジスタＱ１１１〜Ｑ１２０、抵抗Ｒ２１から構成されており、定電流回路を構成している。トランジスタＱ１１１〜Ｑ１１６は、ＰＮＰトランジスタから構成され、トランジスタＱ１１７〜Ｑ１２０はＮＰＮトランジスタから構成されている。
【００３３】
トランジスタＱ１１１〜Ｑ１１３及びトランジスタＱ１１４〜Ｑ１１６、及び、トランジスタＱ１１７、Ｑ１１８並びにトランジスタＱ１１９、Ｑ１２０は各々カレントミラー回路を構成している。
【００３４】
トランジスタＱ１１１〜Ｑ１１３から構成されるカレントミラー回路は、トランジスタＱ１１４のエミッタ電流に応じた電流をトランジスタＱ１１２、Ｑ１１３のコレクタから出力する。トランジスタＱ１１１〜Ｑ１１３から構成されるカレントミラー回路は、トランジスタＱ１１８のコレクタ電流に応じた電流をトランジスタＱ１１４、Ｑ１１６のコレクタから出力する。トランジスタＱ１１６のコレクタ電流は、第２のドライブ回路１０４に供給される。
【００３５】
また、トランジスタＱ１１７、Ｑ１１８から構成されるカレントミラー回路は、トランジスタＱ１１４のコレクタ電流に応じた電流をトランジスタＱ１１８のエミッタから出力する。トランジスタＱ１１９、Ｑ１２０から構成されるカレントミラー回路は、トランジスタＱ１１８のエミッタ電流に応じた電流をトランジスタＱ１１７のコレクタから引き込み、トランジスタＱ１１９のエミッタから出力する。抵抗Ｒ２１は、トランジスタＱ１２０のエミッタ電流を制限する。
【００３６】
なお、トランジスタＱ１１４、Ｑ１１５から構成されるカレントミラー回路は、パワーセーブ回路１２のトランジスタＱ１０７のコレクタ電流Ｉｃ２によりその動作が制御されている。また、トランジスタＱ１１７、Ｑ１１８から構成されるカレントミラー回路は、パワーセーブ回路１２のトランジスタＱ１０５のコレクタ電流Ｉｃ１によりその動作が制御されている。
【００３７】
なお、第１のドライブ回路１０３には、電源端子Ｔｖｃｃから駆動電源が供給されている。第１のドライブ回路１０３は、入力端子Ｔｉｎ１からの入力信号に基づいて処理を行い、出力端子Ｔｏｕｔ１から出力する。例えば、入力端子Ｔｉｎ１には、モータ１３の回転数などに応じた信号が供給され、出力端子Ｔｏｕｔ１からの出力信号はモータ１３からの駆動信号とされる。第１のドライブ回路１０３は、入力信号に応じてモータ１３の回転数を認識し、モータ１３の回転数が一定にあるように出力端子Ｔｏｕｔ１から出力される出力信号を制御する。
【００３８】
また、第２のドライブ回路１０４には、電流供給回路１０２のトランジスタＱ１１６のコレクタ電流Ｉ２が駆動電流として供給されている。第２のドライブ回路１０４は、入力端子Ｔｉｎ２からの入力信号に基づいて処理を行い、出力端子Ｔｏｕｔ２から出力する。例えば、入力端子Ｔｉｎ２には、モータ１４の回転数などに応じた信号が供給され、出力端子Ｔｏｕｔ２からの出力信号はモータ１３からの駆動信号とされる。第２のドライブ回路１０４は、入力信号に応じてモータ１４の回転数を認識し、モータ１４の回転数が一定にあるように出力端子Ｔｏｕｔ２から出力される出力信号を制御する。
【００３９】
図３はモータドライブ回路１２の動作説明図を示す。図３（Ａ）は電源端子Ｔｖｃｃに印加される電源電圧Ｖｃｃ、図３（Ｂ）はパワーセーブ制御端子Ｔｐｓに供給されるパワーセーブ制御信号、図３（Ｃ）はトランジスタＱ１０７のコレクタ電流Ｉｃ２、図３（Ｄ）はトランジスタＱ１０５のコレクタ電流Ｉｃ１、図３（Ｅ）は第１のドライブ回路１０３の駆動電流Ｉ１、図３（Ｆ）は第２のドライブ回路１０４の駆動電流Ｉ２の動作波形図を示す。
【００４０】
時刻ｔ０でマイコン１１からパワーセーブ制御端子Ｔｐｓに供給されるパワーセーブ制御信号がローレベルの状態で、マイコン１１からの指示によりスイッチＳＷ１がオンされると、電源端子Ｔｖｃｃに電源電圧Ｖｃｃが印加される。図３（Ａ）に示すように電源端子Ｔｖｃｃに電源電圧Ｖｃｃが印加されると、図３（Ｅ）に示すように第１のドライブ回路１０３に駆動電流Ｉ１が供給される。これによって、第１のドライブ回路１０３が選択的に駆動される。
【００４１】
次に図３（Ｂ）に示すように時刻ｔ１でマイコン１１からの指示によりパワーセーブ制御端子Ｔｐｓに供給されるパワーセーブ制御信号がハイレベルになると、トランジスタＱ１０１がオンする。トランジスタＱ１０１がオンすることによりトランジスタＱ１０６がオフするため、トランジスタＱ１０７がオフし、トランジスタＱ１０７のコレクタ電流Ｉｃ２の出力が停止される。
【００４２】
これによってトランジスタＱ１１４〜Ｑ１１６のベース電位がローレベルになるので、トランジスタＱ１１４〜Ｑ１１６がオンする。また、時刻ｔ１でトランジスタＱ１０１がオンすることによりトランジスタＱ１０５がオンし、図３（Ｄ）に示すようにトランジスタＱ１０５のコレクタ電流Ｉｃ１がトランジスタＱ１１７、Ｑ１１８のベースに供給される。これによって、トランジスタＱ１１７、Ｑ１１８がオンする。
【００４３】
以上ようにして時刻ｔ１でトランジスタＱ１１８がオンするとともに、トランジスタＱ１１６がオンする。これにより、図３（Ｆ）に示すようにトランジスタＱ１１６のコレクタから第２のドライブ回路１０４に駆動電流Ｉ２が供給される。これによって、時刻ｔ１では、第１のドライブ回路１０３及び第２のドライブ回路１０４の両方が動作状態となる。
【００４４】
また、一方、時刻ｔ０〜ｔ１では、トランジスタＱ１０１がオフなので、トランジスタＱ１０６、Ｑ１０７がオンし、トランジスタＱ１１１〜Ｑ１１６をオフさせるため、第２のドライブ回路１０４に駆動電流Ｉ２が供給されない。したがって、第１のドライブ回路１０３の動作を動作状態とし、第２のドライブ回路１０４の動作を停止状態とすることができる。
【００４５】
【発明の効果】
上述の如く、本発明によれば、電源電圧により第１の負荷を駆動し、パワーセーブ信号に応じて電流を発生する電流発生回路で発生された電流に応じて駆動される第２の負荷を駆動することにより、パワーセーブ信号に応じて第２の負荷への電流の供給を停止できるため、第２の負荷への電流の供給が不要なときには、パワーセーブ信号により電流発生回路の動作を停止し、第２の負荷への電流の供給を停止し、省電力化を図ることができる等の特長を有する。
【図面の簡単な説明】
【図１】本発明の一実施例のシステム構成図である。
【図２】モータドライバ回路１２の回路構成図である。
【図３】モータドライバ回路１２の動作波形図である。
【図４】従来の一例の回路構成図である。
【符号の説明】
１  システム、１１  マイコン、１２  モータドライブ回路
１３、１４  モータ
１０１  パワーセーブ回路、１０２  電流供給回路
１０３  第１のドライブ回路、１０４  第２のドライブ回路
【図１】
2004272780.tif 000003
【図２】
2004272780.tif 000004
【図３】
2004272780.tif 000005
【図４】
2004272780.tif 000006